(57)【特許請求の範囲】
【請求項１】
平面型の表示パネルと、前記表示パネルを収容する外装ケースとを備える表示装置を収容する梱包箱と、
前記梱包箱内に前記表示装置とともに収容された状態において、前記梱包箱と隙間を置いて前記表示パネルの面方向に平行する状態で配置される支持枠と、
前記梱包箱内に前記表示装置および前記支持枠とともに収容された状態において、前記表示装置および前記支持枠が配置される方向において前記表示装置と前記支持枠とを挟み込むように支持する緩衝材と
を備え、
前記支持枠は、前記表示パネルにおける左右方向の中央および上下方向の中央の少なくとも一方に接触可能に支持する中央桟を有し、
前記支持枠は、第１の支持枠と第２の支持枠とに分割され、
前記第１の支持枠および前記第２の支持枠は、前記上下方向および前記左右方向のいずれか一方に沿って並べられ、
前記中央桟は、前記第１の支持枠における前記第２の支持枠側の枠体と、前記第２の支持枠における前記第１の支持枠側の枠体とが互いに隣接して配置され、
前記中央桟の幅方向の最大寸法は、前記第１の支持枠の残りの枠体の幅方向の最大寸法および前記第２の支持枠の残りの枠体の幅方向の最大寸法よりも大きい
表示装置の梱包構造。
【請求項２】
平面型の表示パネルと、前記表示パネルを収容する外装ケースとを備える表示装置を収容する梱包箱と、
前記梱包箱内に前記表示装置とともに収容された状態において、前記梱包箱と隙間を置いて前記表示パネルの面方向に平行する状態で配置される支持枠と、
前記梱包箱内に前記表示装置および前記支持枠とともに収容された状態において、前記表示装置および前記支持枠が配置される方向において前記表示装置と前記支持枠とを挟み込むように支持する緩衝材と
を備え、
前記支持枠は、前記表示パネルにおける左右方向の中央および上下方向の中央の少なくとも一方に接触可能に支持する中央桟を有し、
前記支持枠は、第１の支持枠と第２の支持枠とに分割され、
前記第１の支持枠および前記第２の支持枠は、前記上下方向および前記左右方向のいずれか一方に沿って並べられ、
前記中央桟は、前記第１の支持枠における前記第２の支持枠側の枠体と、前記第２の支持枠における前記第１の支持枠側の枠体とが互いに隣接して配置され、
前記第１の支持枠と前記第２の支持枠とは同一の形状である
表示装置の梱包構造。
【発明の詳細な説明】
【技術分野】
【０００１】
本発明は表示装置の梱包構造に関する。
【背景技術】
【０００２】
表示装置は、平面型の薄型表示装置が一般家庭や業務用として広く知られている。近年、表示装置は、薄型化が図られるとともに、表示パネルを覆う外装ケースの額縁が狭いデザインが採用されている。このため、表示装置として表示パネルを保持する機械的な強度が低下し、輸送時に受ける機械的衝撃により表示パネルが撓んで外装ケースから外れるおそれがある。
【０００３】
このような問題を解決するため、特許文献１の表示装置の梱包構造では、表示装置を収容する梱包箱に表示装置の左右方向の中央を上下方向から支持する緩衝材が表示装置とともに収容される。この緩衝材は、梱包箱の内面と表示装置の表示パネルとの間に配置され、表示パネルと隙間を置いて対向する。特許文献１の表示装置の梱包構造は、機械的衝撃により表示パネルの中央が緩衝材に向けて撓むとき、緩衝材が表示パネルと接触することにより表示パネルの撓みを制限する。
【先行技術文献】
【特許文献】
【０００４】
【特許文献１】国際公開第２０１３／７３１７１号公報
【発明の概要】
【発明が解決しようとする課題】
【０００５】
ところで、特許文献１の表示装置の梱包構造は、表示パネルと梱包箱において表示パネルの前面と対向する内面の間には空間が設けられている。これにより、輸送時に受ける機械的衝撃などにより梱包箱が表示パネルに向けて変形しても梱包箱が表示パネルに接触することが抑制される。一方、梱包箱において表示パネルの前面と対向する内面に取り付けられた緩衝材と表示パネルとの間にも空間が設けられる。
【０００６】
また近年、表示装置は、デジタルサイネージ等のため、複数の表示装置同士を連結したビデオウォールとして用いられる場合がある。この場合、表示パネルの外周縁の前面側を覆う外装ケースの額縁が従来の表示装置の外装ケースの額縁よりも狭いことが好ましい。
【０００７】
このような外装ケースの額縁が狭い表示装置が特許文献１の梱包構造に収容された場合、表示パネルと緩衝材との間の空間の大きさによっては、表示パネルの中央部が緩衝材に接触する前に外装ケースから表示パネルが外れてしまうおそれがある。
【０００８】
本発明の目的は、輸送等で発生する機械的衝撃などに対して表示パネルをより効果的に保護することができる表示装置の梱包構造を提供することである。
【課題を解決するための手段】
【０００９】
本発明に従う表示装置の梱包構造の一形態は、平面型の表示パネルと、前記表示パネルを収容する外装ケースとを備える表示装置を収容する梱包箱と、前記梱包箱内に前記表示装置とともに収容された状態において、前記梱包箱と隙間を置いて前記表示パネルの面方向に平行する状態で配置される支持枠と、前記梱包箱内に前記表示装置および前記支持枠とともに収容された状態において、前記表示装置および前記支持枠が配置される方向において前記表示装置と前記支持枠とを挟み込むように支持する緩衝材とを備え、前記支持枠は、前記表示パネルにおける左右方向の中央および上下方向の中央の少なくとも一方に接触可能に支持する中央桟を有する。
【発明の効果】
【００１０】
上記表示装置の梱包構造は、輸送等で発生する機械的衝撃などに対して表示パネルをより効果的に保護することができる。
【図面の簡単な説明】
【００１１】
【図１】一実施形態に係る表示装置の梱包構造について、表示装置の前面側の斜視図。
【図２】同表示装置の梱包構造について、表示装置の背面側の斜視図。
【図３】同表示装置の梱包構造の分解斜視図。
【図４】同表示装置の梱包構造の第１の支持枠の正面図。
【図５】図４の第１の支持枠の背面構造を示す斜視図。
【図６】同表示装置の梱包構造について、支持枠の正面図。
【図７】同表示装置の梱包構造について、支持枠の下側の一部と、下側の左端緩衝材、中央緩衝材、および、右端緩衝材との分解斜視図。
【図８】同表示装置の梱包構造について、支持枠の上側の一部と、上側の左端緩衝材、中央緩衝材、および、右端緩衝材との分解斜視図。
【図９】同表示装置の梱包構造について、各緩衝材および支持枠に表示装置が取り付けられた状態の正面図。
【図１０】同表示装置の梱包構造について、各緩衝材および支持枠に表示装置が取り付けられた状態の背面図。
【図１１】同表示装置の梱包構造について、表示装置、各緩衝材、および、支持枠が梱包箱に収容された状態の図９の１１−１１線の断面図。
【図１２】変形例の表示装置の梱包構造について、第１の支持枠および第２の支持枠に分割された支持枠の正面図。
【図１３】別の変形例の表示装置の梱包構造について、支持枠の正面図。
【図１４】さらに別の変形例の表示装置の梱包構造について、支持枠の正面図。
【図１５】さらに別の変形例の表示装置の梱包構造について、支持枠の正面図。
【図１６】さらに別の変形例の表示装置の梱包構造について、支持枠の正面図。
【図１７】さらに別の変形例の表示装置の梱包構造について、第１の支持枠および第２の支持枠に分割された支持枠の正面図。
【図１８】さらに別の変形例の表示装置の梱包構造について、４つに分割された支持枠の正面図。
【図１９】さらに別の変形例の表示装置の梱包構造について、支持枠の一部と突起部との分解斜視図。
【図２０】さらに別の変形例の表示装置の梱包構造について、第１の支持枠の正面図。
【発明を実施するための形態】
【００１２】
一実施形態に係る表示装置の梱包構造を、図面を参照しつつ説明する。なお、本発明は、以下に説明する例示に限定されるものではなく、特許請求の範囲によって示され、特許請求の範囲と均等の意味および範囲内での全ての変更が含まれることが意図される。
【００１３】
また、以下の説明において、「上側」、「下側」、「左側」、「右側」、「前側」、および、「後側」は、図１に示すように表示装置１００の通常の使用状態における姿勢を基準として、表示パネル１１０を正面から見た場合の方向として規定される。また、図４〜図９の説明において、符号が付された表示装置１００の構成要素は、図１および図２の表示装置１００の構成要素を示す。
【００１４】
図１に示すように、表示装置１００は、薄型の表示装置であり、例えばデジタルサイネージのため、複数の表示装置１００が上下左右に連結されることにより構成されたビデオウォールに用いられる。
【００１５】
表示装置１００は、平面型の表示パネル１１０と、表示パネル１１０を収容する樹脂成形品などからなる外装ケース１２０とを備える。表示装置１００は、左右方向が長手方向となり、上下方向が短手方向となる長方形に形成されている。
【００１６】
外装ケース１２０は、表示パネル１１０の画像表示領域に対応するように開口部１２２が形成されたフロントキャビネット１２１を備える。フロントキャビネット１２１は、表示パネル１１０の外周縁の前面側を覆う額縁を有する。
【００１７】
また図２に示すように、外装ケース１２０は、フロントキャビネット１２１（図１参照）と組み合わせられ、表示パネル１１０の後側を覆うバックキャビネット１２３を備える。バックキャビネット１２３には、表示パネル１１０に画像を表示するための駆動回路やバックライト装置等（ともに図示略）が収容される収容部分１２４が形成されている。バックキャビネット１２３において収容部分１２４よりも下側の部分には、駆動回路やバックライト装置に電気的に接続する配線（図示略）が接続される配線口（図示略）が形成されている。
【００１８】
図３に示すように、表示装置１００の梱包構造として、表示装置１００が包装袋（図示略）により覆われた後、段ボールからなる梱包箱９０に収容される。このとき、表示装置１００を操作する操作装置、表示装置１００に接続されるケーブル、取扱説明書等が収容されたアクセサリーボックス９２も梱包箱９０に収容される。
【００１９】
また、表示装置１００が梱包箱９０に収容される際、表示装置１００の下側には、３個の緩衝材である左端緩衝材１０、右端緩衝材２０、および、中央緩衝材３０が取り付けられる。また、表示装置１００の上側には、３個の緩衝材である左端緩衝材４０、右端緩衝材５０、および、中央緩衝材６０が取り付けられる。中央緩衝材６０には、アクセサリーボックス９２が載置される。各緩衝材１０，２０，３０，４０，５０，６０は、例えば発泡ポリスチレン（ＥＰＳ）や発泡ポリプロピレン（ＥＰＰ）やピオセラン（PIOCELAN：登録商標、積水化成品工業株式会社）などの発泡樹脂を用いた成形品として構成されている。
【００２０】
また、表示装置１００の前側には、梱包箱９０内に表示装置１００とともに収容された状態において、枠状からなる支持枠７０が梱包箱９０と表示パネル１１０との間に配置される。支持枠７０は、表示装置１００の表示パネル１１０の面方向と平行するように配置される。支持枠７０の下側の枠体７４には、下側の各緩衝材１０，２０，３０が取り付けられ、支持枠７０の上側の枠体７４には、上側の各緩衝材４０，５０，６０が取り付けられる。このため、支持枠７０は、下側の各緩衝材１０，２０，３０と上側の各緩衝材４０，５０，６０とにより上下方向に挟み込まれる。
【００２１】
支持枠７０は、左右方向において分割された第１の支持枠７０Ａおよび第２の支持枠７０Ｂにより構成されている。第１の支持枠７０Ａおよび第２の支持枠７０Ｂは、例えば発泡ポリスチレン（ＥＰＳ）や発泡ポリプロピレン（ＥＰＰ）やピオセラン（PIOCELAN：登録商標、積水化成品工業株式会社）などの発泡樹脂を用いた成形品として構成されている。なお、第１の支持枠７０Ａおよび第２の支持枠７０Ｂは、発泡樹脂のうち、ピオセランにより形成されることが好ましい。
【００２２】
以上のように、表示装置１００の梱包構造は、次の構成を有する。すなわち、表示装置１００の梱包構造は、左端緩衝材として、支持枠７０の下側の枠体７４および表示装置１００の下端部を支持する下側の左端緩衝材１０と、支持枠７０の上側の枠体７４および表示装置１００の上端部を支持する上側の左端緩衝材４０とを有する。また表示装置１００の梱包構造は、右端緩衝材として、支持枠７０の下側の枠体７４および表示装置１００の下端部を支持する下側の右端緩衝材２０と、支持枠７０の上側の枠体７４および表示装置１００の上端部を支持する上側の右端緩衝材５０とを有する。また表示装置１００の梱包構造は、中央緩衝材として、支持枠７０の下側の枠体７４および表示装置１００の下端部を支持する下側の中央緩衝材３０と、支持枠７０の上側の枠体７４および表示装置１００の上端部を支持する上側の中央緩衝材６０とを有する。
【００２３】
また、表示装置１００の下端部には、緩衝板材８０が取り付けられている。緩衝板材８０は、表示装置１００を側面から見てＬ字状に形成され、外装ケース１２０の下端の前面および下面を左右方向の全体にわたり覆う。緩衝板材８０は、例えば圧縮紙により形成されている。緩衝板材８０は、表示装置１００を覆う包装袋（図示略）に例えばテープ（図示略）により貼り付けられている。
【００２４】
そして、各緩衝材１０，２０，３０および緩衝板材８０が取り付けられた表示装置１００は、梱包箱９０の一部を構成する段ボールからなる下側支持箱９１にさらに挿入される。これにより、左端緩衝材１０および右端緩衝材２０の左右方向の位置が決められる。
【００２５】
図４に示すように、第１の支持枠７０Ａは、上下方向が長手方向となり、左右方向が短手方向となる長方形により形成されている。第１の支持枠７０Ａには、前後方向に開口する開口部７１が形成されている。第１の支持枠７０Ａにおいて表示パネル１１０と前後方向に対向する第１の面７２Ａは、左右方向および上下方向に平行する平面として形成されている。第１の支持枠７０Ａを正面から見て、第１の支持枠７０Ａの角部である四隅には、面取りされた曲面７３が形成されている。第１の支持枠７０Ａを構成する各枠体７４において、上下方向に延びる枠体７４の幅寸法Ｗ１は、左右方向に延びる枠体７４の幅寸法Ｗ２よりも小さい。
【００２６】
図５に示すように、第１の支持枠７０Ａにおける表示パネル１１０が配置される側の面である第１の面７２Ａ（図４参照）とは反対側となる第２の面７２Ｂには、突起部７５Ａ，７５Ｂ，７５Ｃ，７５Ｄが形成されている。突起部７５Ａ，７５Ｂ，７５Ｃ，７５Ｄは、第２の面７２Ｂから前側に向けて突出している。すなわち、突起部７５Ａ，７５Ｂ，７５Ｃ，７５Ｄは、第２の面７２Ｂから表示パネル１１０とは反対側に延びている。上下方向および左右方向に隣り合う突起部７５Ａ，７５Ｂ，７５Ｃ，７５Ｄは、互いに対称となるように第１の支持枠７０Ａに形成されている。
【００２７】
突起部７５Ａ，７５Ｂ，７５Ｃ，７５Ｄは、第１の支持枠７０Ａの各枠体７４が連結される角部のそれぞれに形成されている。図６に示すように、枠体７４における突起部７５Ａ，７５Ｂ，７５Ｃ，７５Ｄからの上下方向の突出距離と、枠体７４における突起部７５Ａ，７５Ｂ，７５Ｃ，７５Ｄからの左右方向の突出距離とは互いに等しい。なお、以下の説明において、枠体７４における突起部７５Ａ，７５Ｂ，７５Ｃ，７５Ｄからの突出距離を「突出距離ＤＰ」とする。
【００２８】
突起部７５Ａ，７５Ｂ，７５Ｃ，７５Ｄは、左右方向に沿って延びる水平部７６、水平部７６の左右方向の端部から上下方向に沿って延びる垂直部７７、および、水平部７６と垂直部７７とを連結する案内部７８を有する。
【００２９】
図６に示すように、第２の支持枠７０Ｂは、第１の支持枠７０Ａと同一形状に形成されている。すなわち、第２の支持枠７０Ｂは、第１の支持枠７０Ａと同じ金型により成形されている。
【００３０】
第１の支持枠７０Ａおよび第２の支持枠７０Ｂは、左右方向に沿って並べられる。第１の支持枠７０Ａの各枠体７４のうちの第２の支持枠７０Ｂ側の枠体（以下、「中央枠体７４Ａ」）は、第２の支持枠７０Ｂの各枠体７４のうちの第１の支持枠７０Ａ側の枠体（以下、「中央枠体７４Ｂ」）と左右方向において隣接して配置されている。そして、中央枠体７４Ａおよび中央枠体７４Ｂにより、支持枠７０の中央桟７４Ｃが構成されている。このため、中央桟７４Ｃは、支持枠７０の左右方向の中央において上下方向に延びている。すなわち、支持枠７０は、表示パネル１１０における左右方向の中央および上下方向の中央の少なくとも一方に接触可能に支持する中央桟７４Ｃを有する。中央桟７４Ｃは、第１の支持枠７０Ａにおける第２の支持枠７０Ｂ側の枠体（中央枠体７４Ａ）と第２の支持枠７０Ｂにおける第１の支持枠７０Ａ側の枠体（中央枠体７４Ｂ）とが互いに隣接して配置されることにより構成される。
【００３１】
中央桟７４Ｃの幅寸法ＷＡは、支持枠７０の他の枠体７４の幅寸法Ｗ１，Ｗ２よりも大きい。本実施形態では、中央桟７４Ｃの幅寸法ＷＡは、上下方向に延びる枠体７４の幅寸法Ｗ１の２倍となる。すなわち、図６に示すように、中央桟７４Ｃの幅方向の最大寸法は、第１の支持枠７０Ａの残りの枠体７４の幅方向の最大寸法および第２の支持枠７０Ｂの残りの枠体７４の幅方向の最大寸法よりも大きい。
【００３２】
第１の支持枠７０Ａにおいて第２の支持枠７０Ｂ側かつ上側の突起部７５Ａと、第２の支持枠７０Ｂにおいて第１の支持枠７０Ａ側かつ上側の突起部７５Ｃとは、上下方向において同じ位置に配置され、かつ左右方向において空隙Ｇを置いて配置されている。このため、第１の支持枠７０Ａの突起部７５Ａおよび第２の支持枠７０Ｂの突起部７５Ｃは、突起部７５Ａと突起部７５Ｃとの間に形成される空隙Ｇにより、係合凹部７９Ａを構成している。
【００３３】
また、第１の支持枠７０Ａにおいて第２の支持枠７０Ｂ側かつ下側の突起部７５Ｂと、第２の支持枠７０Ｂにおいて第１の支持枠７０Ａ側かつ下側の突起部７５Ｄとは上下方向において同じ位置に配置され、かつ左右方向において空隙Ｇを置いて配置されている。このため、第１の支持枠７０Ａの突起部７５Ｂおよび第２の支持枠７０Ｂの突起部７５Ｄは、突起部７５Ｂと突起部７５Ｄとの間に形成される空隙Ｇにより、係合凹部７９Ｂを構成している。図６に示すとおり、中央桟７４Ｃの一部である中央枠体７４Ａ側に位置する突起部７５Ａ，７５Ｂは、中央桟７４Ｃの上下方向の中間部よりも上側の部分および下側の部分に位置し、中央桟７４Ｃの上下方向の中間部に位置していない。また中央桟７４Ｃの一部である中央枠体７４Ｂ側に位置する突起部７５Ｃ，７５Ｄは、中央桟７４Ｃの上下方向の中間部よりも上側の部分および下側の部分に位置し、中央桟７４Ｃの上下方向の中間部に位置していない。
【００３４】
図７に示すように、第１の支持枠７０Ａの下端部および第２の支持枠７０Ｂの下端部は、左端緩衝材１０、右端緩衝材２０、および、中央緩衝材３０に挿入される。
左端緩衝材１０には、第１の支持枠７０Ａの左端部および表示装置１００の左端部を下側および左側から支持する支持部１１が形成されている。支持部１１は、第１の支持枠７０Ａおよび表示装置１００を下側から支持する第１支持壁１２と、第１の支持枠７０Ａおよび表示装置１００を左側から支持する第２支持壁１３と、表示装置１００を後側から支持する２個の第３支持壁１４とを備える。第１支持壁１２は、左右方向に沿って延びる２つの支持面１２Ａが形成されている。第２支持壁１３は、支持面１２Ａの左縁から上側に延びる壁である。各第３支持壁１４は、支持面１２Ａの後縁から上側に延びる壁である。２個の第３支持壁１４は、左右方向に間隔を置いて形成されている。
【００３５】
支持部１１には、第１の支持枠７０Ａの下側の枠体７４および左側の枠体７４が挿入される挿入部１５が形成されている。挿入部１５は、第１支持壁１２および第２支持壁１３にわたり形成される溝である。
【００３６】
挿入部１５において第１支持壁１２に形成された部分の溝の幅の大きさと挿入部１５において第２支持壁１３に形成された部分の溝の幅の大きさとは互いに等しい。挿入部１５の溝の幅寸法ＧＷは、第１の支持枠７０Ａの厚み寸法Ｔよりも大きい。これにより、第１の支持枠７０Ａが支持部１１に挿入されやすい。
【００３７】
挿入部１５において第１支持壁１２に形成された部分の溝の深さと挿入部１５において第２支持壁１３に形成された部分の溝の深さとは互いに等しい。挿入部１５の溝の深さ寸法ＧＨは、図６に示される突出距離ＤＰと概ね等しい。
【００３８】
支持部１１において挿入部１５よりも後側には、表示装置１００を支持するための後側支持部１６が形成されている。後側支持部１６は、挿入部１５よりも後側の支持面１２Ａを含み、第１支持壁１２の後側の部分および第２支持壁１３の後側の部分により構成されている。このため、後側支持部１６は、左右方向において表示装置１００と接触可能である。
【００３９】
支持部１１において挿入部１５よりも前側には、第１の支持枠７０Ａの突起部７５Ｄを支持するための前側支持部１７が形成されている。前側支持部１７は、挿入部１５よりも前側の支持面１２Ａを含み、第１支持壁１２の前側の部分および第２支持壁１３の前側の部分により構成されている。このため、前側支持部１７は、左右方向において支持枠７０と接触可能である。
【００４０】
右端緩衝材２０は、左端緩衝材１０を左右対称にした構成であり、第２の支持枠７０Ｂおよび表示装置１００を下側および右側から支持する支持部２１を備える。支持部２１は、左端緩衝材１０の支持部１１と同様の構成であり、第１支持壁２２、第２支持壁２３、および、第３支持壁２４を備える。また支持部２１には、支持部１１と同様に、挿入部２５、後側支持部２６、および、前側支持部２７が形成されている。
【００４１】
中央緩衝材３０は、支持枠７０および表示装置１００の上下方向の端部を支持する支持部３１を備える。支持部３１には、第１の支持枠７０Ａの下側の枠体７４、第２の支持枠７０Ｂの下側の枠体７４、および、表示装置１００の下端部が挿入される。支持部３１は、第１の支持枠７０Ａ、第２の支持枠７０Ｂ、および、表示装置１００を下側から支持する第１支持壁３２、および、表示装置１００を後側から支持する第２支持壁３３を備える。
【００４２】
第１支持壁３２には、第１の支持枠７０Ａの下側の枠体７４、第２の支持枠７０Ｂの下側の枠体７４が挿入される挿入部３４が形成されている。挿入部３４は、第１支持壁３２の左端から右端に向けて延びる溝である。挿入部３４の溝の幅寸法ＧＷは、挿入部１５，２５の溝の幅寸法ＧＷと等しい。挿入部３４の溝の深さ寸法ＧＨは、挿入部１５，２５の溝の深さ寸法ＧＨと等しい。
【００４３】
支持部３１において挿入部３４よりも後側には、表示装置１００を支持するための後側支持部３５が形成されている。後側支持部３５の支持面３５Ａの前後方向の寸法である厚み寸法は、後側支持部１６，２６の支持面１２Ａ，２２Ａの前後方向の寸法である厚み寸法と等しい。
【００４４】
支持部３１において挿入部３４よりも前側には、第１の支持枠７０Ａの突起部７５Ｂおよび第２の支持枠７０Ｂの突起部７５Ｄを支持するための前側支持部３６が形成されている。前側支持部３６の支持面３６Ａの前後方向の寸法となる厚み寸法は、前側支持部１７，２７の支持面１２Ａ，２２Ａの前後方向の寸法となる厚み寸法と等しい。
【００４５】
前側支持部３６の左右方向の中央には、中央緩衝材３０の左右方向の移動を制限するための係合凸部３７が形成されている。係合凸部３７は、前側支持部３６の支持面３６Ａから上側に延びている。係合凸部３７は、前側から見て上下方向が長手方向となり、左右方向が短手方向となる長方形に形成されている。係合凸部３７の左右方向の寸法である幅寸法は、第１の支持枠７０Ａの突起部７５Ｂと第２の支持枠７０Ｂの突起部７５Ｄとにより構成される係合凹部７９Ｂを形成する空隙Ｇの左右方向の大きさよりも僅かに小さい。
【００４６】
図８に示すように、第１の支持枠７０Ａの上端部および第２の支持枠７０Ｂの上端部は、左端緩衝材４０、右端緩衝材５０、および、中央緩衝材６０に挿入される。
左端緩衝材４０は、下側の左端緩衝材１０（図７参照）を上下対称にした構成であり、第１の支持枠７０Ａおよび表示装置１００を上側および左側から支持する支持部４１を備える。支持部４１は、左端緩衝材１０の支持部１１（図７参照）と同様の構成であり、第１支持壁４２、第２支持壁４３、および、第３支持壁４４を備える。また支持部４１には、支持部１１と同様に、挿入部４５、後側支持部４６、および、前側支持部４７が形成されている。
【００４７】
右端緩衝材５０は、上側の左端緩衝材４０を左右対称にした構成であり、第２の支持枠７０Ｂおよび表示装置１００を上側および右側から支持する支持部５１を備える。支持部５１は、左端緩衝材４０の支持部４１と同様の構成であり、第１支持壁５２、第２支持壁５３、および、第３支持壁５４を備える。また支持部５１には、支持部４１と同様に、挿入部５５、後側支持部５６、および、前側支持部５７が形成されている。
【００４８】
中央緩衝材６０の左右方向の寸法は、下側の中央緩衝材３０（図７参照）の左右方向の寸法よりも大きい。中央緩衝材６０は、支持枠７０および表示装置１００の上下方向の端部を支持する支持部６１を備える。支持部６１には、第１の支持枠７０Ａの上側の枠体７４、第２の支持枠７０Ｂの上側の枠体７４、および、表示装置１００の上端部が挿入される。支持部６１は、下側の中央緩衝材３０の支持部３１（図７参照）と概ね同様の構成であり、第１支持壁６２および第２支持壁６３を備える。第１支持壁６２には、中央緩衝材３０の第１支持壁３２（図７参照）と同様に、挿入部６４、後側支持部６５、および、前側支持部６６が形成されている。
【００４９】
前側支持部６６の左右方向の中央には、中央緩衝材６０の左右方向の移動を制限するための係合凸部６７が形成されている。係合凸部６７は、前側支持部６６の支持面６６Ａから下側に延びている。係合凸部６７は、前側から見て上下方向が長手方向となり、左右方向が短手方向となる長方形に形成されている。係合凸部６７の左右方向の寸法である幅寸法は、第１の支持枠７０Ａの突起部７５Ａと第２の支持枠７０Ｂの突起部７５Ｃとにより構成される係合凹部７９Ａを形成する空隙Ｇの左右方向の大きさよりも僅かに小さい。
【００５０】
また、中央緩衝材６０の上側には、図３に示されるアクセサリーボックス９２が収容される収容部６８が形成されている。収容部６８は、上側および後側が開口する凹形状に形成されている。
【００５１】
次に、図９〜図１１を参照して、表示装置１００が各緩衝材１０，２０，３０，４０，５０，６０および支持枠７０に取り付けられた状態、および、表示装置１００が図１１の梱包箱９０に収容された状態について説明する。
【００５２】
図９に示すように、表示装置１００の表示パネル１１０の前側が支持枠７０に対向するように表示装置１００および各緩衝材１０，２０，３０，４０，５０，６０が互いに組み付けられる。支持枠７０の中央桟７４Ｃは、表示装置１００を覆う梱包袋を介して外装ケース１２０のフロントキャビネット１２１の左右方向の中央に接触し、表示パネル１１０の左右方向の中央を接触可能に支持することができる。
【００５３】
図９に示すように、左端緩衝材１０は、中央緩衝材３０の左側に間隔を置いて配置され、支持枠７０の左端部および表示装置１００の左端部を支持している。右端緩衝材２０は、中央緩衝材３０の右側に間隔を置いて配置され、支持枠７０の右端部および表示装置１００の右端部を支持している。このように、緩衝材は、左右方向において支持枠７０の端部および表示装置１００の端部を支持する端部緩衝材を有する。
【００５４】
支持枠７０の係合凹部７９Ａを構成する第１の支持枠７０Ａの突起部７５Ａおよび第２の支持枠７０Ｂの突起部７５Ｃは、中央緩衝材６０と左右方向に同じ位置において、左右方向に間隔を置いて配置されている。支持枠７０の係合凹部７９Ｂを構成する第１の支持枠７０Ａの突起部７５Ｂおよび第２の支持枠７０Ｂの突起部７５Ｄは、中央緩衝材３０と左右方向に同じ位置において、左右方向に間隔を置いて配置されている。
【００５５】
左端緩衝材１０の前側支持部１７は、第１の支持枠７０Ａの突起部７５Ｄと左右方向および上下方向において接触している、または左右方向および上下方向において僅かな隙間を介して対向している。
【００５６】
右端緩衝材２０の前側支持部２７は、第２の支持枠７０Ｂの突起部７５Ｂと左右方向および上下方向において接触している、または左右方向および上下方向において僅かな隙間を介して対向している。
【００５７】
中央緩衝材３０の前側支持部３６は、第１の支持枠７０Ａの突起部７５Ｂの水平部７６および第２の支持枠７０Ｂの突起部７５Ｄの水平部７６のそれぞれと接触している、または上下方向に僅かな隙間を介して対向している。
【００５８】
なお、上記の僅かな隙間は、支持部１１，２１，３１の挿入部１５，２５，３４の幅寸法ＧＷ（ともに図７参照）と第１の支持枠７０Ａの厚み寸法Ｔおよび第２の支持枠７０Ｂの厚み寸法Ｔ（ともに図７参照）との差よりも小さいことが好ましい。
【００５９】
中央緩衝材３０の係合凸部３７には、上側から支持枠７０の係合凹部７９Ｂが挿入される。このとき、係合凸部３７の先端部は、係合凹部７９Ｂを構成する第１の支持枠７０Ａの突起部７５Ｂおよび第２の支持枠７０Ｂの突起部７５Ｄのそれぞれの案内部７８により、係合凹部７９Ｂに案内される。すなわち、案内部７８は、係合凸部３７を垂直部７７側に案内する。
【００６０】
そして図９に示されるように、中央緩衝材３０の係合凸部３７は、支持枠７０の係合凹部７９Ｂに嵌め込まれている。すなわち、係合凸部３７は、係合凹部７９Ｂを構成する第１の支持枠７０Ａの突起部７５Ｂの垂直部７７と接触している、または左右方向において僅かな隙間を介して対向している。また係合凸部３７は、係合凹部７９Ｂを構成する第２の支持枠７０Ｂの突起部７５Ｄの垂直部７７と接触している、または左右方向において僅かな隙間を介して対向している。また係合凸部３７は、第１の支持枠７０Ａと第２の支持枠７０Ｂとの境界部分、すなわち第１の支持枠７０Ａの中央枠体７４Ａの右縁と第２の支持枠７０Ｂの中央枠体７４Ｂの左縁とが接触する部分を左右方向に跨っている。
【００６１】
また、左端緩衝材４０は、中央緩衝材６０の左側に間隔を置いて配置され、支持枠７０の左端部および表示装置１００の左端部を支持している。右端緩衝材５０は、中央緩衝材６０の右側に間隔を置いて配置され、支持枠７０の右端部および表示装置１００の右端部を支持している。このように、緩衝材は、左右方向において支持枠７０の端部および表示装置１００の端部を支持する端部緩衝材を有する。
【００６２】
左端緩衝材４０の前側支持部４７は、第１の支持枠７０Ａの突起部７５Ｃと左右方向および上下方向において接触している、または左右方向および上下方向において僅かな隙間を介して対向している。
【００６３】
右端緩衝材５０の前側支持部５７は、第２の支持枠７０Ｂの突起部７５Ａと左右方向および上下方向において接触している、または左右方向および上下方向において僅かな隙間を介して対向している。
【００６４】
中央緩衝材６０の前側支持部６６は、第１の支持枠７０Ａの突起部７５Ａの水平部７６および第２の支持枠７０Ｂの突起部７５Ｃの水平部７６のそれぞれと接触している、または上下方向に僅かな隙間を介して対向している。
【００６５】
なお、上記の前側支持部４７，５７，６６と支持枠７０との間の僅かな隙間は、支持部１１，２１，３１の挿入部１５，２５，３４の幅寸法ＧＷ（ともに図７参照）と各支持枠７０Ａ，７０Ｂの厚み寸法Ｔ（図７参照）との差よりも小さいことが好ましい。
【００６６】
中央緩衝材６０の係合凸部６７は、上側から支持枠７０の係合凹部７９Ａに挿入される。このとき、係合凸部６７の先端部は、係合凹部７９Ａを構成する第１の支持枠７０Ａの突起部７５Ａおよび第２の支持枠７０Ｂの突起部７５Ｃのそれぞれの案内部７８により、係合凹部７９Ａの空隙Ｇに案内される。すなわち、案内部７８は、係合凸部６７を垂直部７７側に案内する。
【００６７】
そして図９に示すように、中央緩衝材６０の係合凸部６７は、支持枠７０の係合凹部７９Ａに嵌め込まれている。すなわち、係合凸部６７は、係合凹部７９Ａを構成する第１の支持枠７０Ａの突起部７５Ａの垂直部７７と接触している、または左右方向において僅かな隙間を介して対向している。また係合凸部６７は、係合凹部７９Ａを構成する第２の支持枠７０Ｂの突起部７５Ｃの垂直部７７と接触している、または左右方向において僅かな隙間を介して対向している。また係合凸部６７は、第１の支持枠７０Ａと第２の支持枠７０Ｂとの境界部分を左右方向に跨っている。
【００６８】
図１０に示すように、表示装置１００の外装ケース１２０におけるバックキャビネット１２３の収容部分１２４は、中央緩衝材３０，６０により上下方向に挟まれている。バックキャビネット１２３は、左端緩衝材１０，４０の第３支持壁１４，４４、右端緩衝材２０，５０の第３支持壁２４，５４、および、中央緩衝材３０，６０の第２支持壁３３，６３により支持されている。このため、各緩衝材１０，２０，３０，４０，５０，６０に対する表示装置１００の後側への移動が制限される。
【００６９】
図１１に示すように、支持枠７０の下側の枠体７４および表示装置１００の下端部は、下側の中央緩衝材３０により前後方向に挟み込まれている。なお、図１１には図示していないが、支持枠７０の下側の枠体７４および表示装置１００の下端部は、下側の左端緩衝材１０および右端緩衝材２０により前後方向に挟み込まれている。このため、各緩衝材１０，２０，３０は、梱包箱９０内に表示装置１００および支持枠７０とともに収容された状態において、表示装置１００および支持枠７０が配置される方向において表示装置１００および支持枠７０を挟み込むように支持する。
【００７０】
また支持枠７０の上側の枠体７４および表示装置１００の上端部は、上側の中央緩衝材６０により前後方向に挟み込まれている。なお、図１１には図示していないが、支持枠７０の上側の枠体７４および表示装置１００の上端部は、上側の左端緩衝材４０および右端緩衝材５０により前後方向に挟み込まれている。このため、各緩衝材４０，５０，６０は、梱包箱９０内に表示装置１００および支持枠７０とともに収容された状態において、表示装置１００および支持枠７０が配置される方向において表示装置１００および支持枠７０を挟み込むように支持する。
【００７１】
図１１に示すように、緩衝板材８０は、支持枠７０の下側の枠体７４の後面と表示装置１００の外装ケース１２０の下端部の前面とにより挟み込まれている。また緩衝板材８０は、支持部１１，２１，３１の支持面１２Ａ，２２Ａ，３５Ａ（ともに図７参照）と外装ケース１２０の下端部の下面とにより挟み込まれている。
【００７２】
また図１１に示すように、支持枠７０は、梱包箱９０の前面９０Ａ側の内面と前後方向に空間を置いて配置されている。支持枠７０と梱包箱９０との間の空間には、突起部７５Ａ，７５Ｂが位置している。なお、図１１では図示していないが、空間には、突起部７５Ａ，７５Ｂ以外にも、突起部７５Ｃ，７５Ｄも位置している。
【００７３】
突起部７５Ａ，７５Ｂの先端面の前後方向の位置と、中央緩衝材３０，６０の前面の前後方向の位置とは互いに等しい。突起部７５Ａの先端面および中央緩衝材６０の前面は、梱包箱９０に接触している、または僅かな隙間を介して対向している。すなわち突起部７５Ａの先端面は、梱包箱９０の内面に接触可能である。また突起部７５Ｂの先端面および中央緩衝材３０の前面は、梱包箱９０の一部を構成する下側支持箱９１に接触している。すなわち突起部７５Ｂの先端面は、梱包箱９０（下側支持箱９１）の内面に接触可能である。なお、図１１では図示していないが、突起部７５Ｂ，７５Ｃ，７５Ｄや左端緩衝材１０，４０および右端緩衝材２０，５０についても同様である。また上記の僅かな隙間は、支持部１１，２１，３１の挿入部１５，２５，３４の幅寸法ＧＷ（ともに図７参照）と第１の支持枠７０Ａの厚み寸法Ｔおよび第２の支持枠７０Ｂの厚み寸法Ｔ（ともに図７参照）との差よりも小さいことが好ましい。
【００７４】
次に、図１１を参照して、本実施形態の表示装置１００の梱包構造の作用について説明する。
表示装置１００が梱包箱９０に収容された状態において、梱包箱９０の前面９０Ａ側が落下する等により梱包箱９０に機械的衝撃が加えられたとき、表示パネル１１０が外装ケース１２０に対して前側に撓む。このとき、表示パネル１１０の上下方向および左右方向の中央の撓み量が最大となる。
【００７５】
しかし、図１１の二点鎖線により示すように、表示パネル１１０が前側に撓んだとき、支持枠７０の中央桟７４Ｃが表示パネル１１０の左右方向の中央に速やかに接触する。これにより、図１１の二点鎖線により示すように、中央桟７４Ｃは、表示パネル１１０の撓みを制限しつつ、前側に撓む。すなわち、中央桟７４Ｃが撓むことにより、中央桟７４Ｃにおける表示パネル１１０の撓みに対して表示パネル１１０への反力が小さくなる。
【００７６】
また、例えば作業者が梱包箱９０の前面９０Ａの上下方向および左右方向の中央を叩くことにより、図１１の二点鎖線により示すように、梱包箱９０の前面９０Ａの上下方向および左右方向の中央が表示パネル１１０に向けて変形する場合がある。また、梱包箱９０の前面９０Ａ側が落下する等により同様に梱包箱９０の前面９０Ａが表示パネル１１０に向けて変形する場合がある。
【００７７】
しかし、本実施形態の表示装置１００の梱包構造では、梱包箱９０が表示パネル１１０側に変形しても支持枠７０に接触しないように、梱包箱９０と支持枠７０との前後方向の間に空間が形成されている。このため、梱包箱９０が支持枠７０に接触することにより、支持枠７０を介して表示パネル１１０に力が加えられることが抑制されるため、表示パネル１１０が破損することが抑制される。
【００７８】
特に、梱包箱９０と支持枠７０との間の空間は、表示パネル１１０が前側に撓むことにより支持枠７０が前側に撓んだ状態で梱包箱９０が表示パネル１１０側に変形したとしても、梱包箱９０と支持枠７０とが接触しない大きさに設定されている。これにより、表示パネル１１０が破損するおそれが一層低減される。
【００７９】
本実施形態の表示装置１００の梱包構造によれば、以下の効果が得られる。
（１）支持枠７０は、梱包箱９０に対して前後方向に空間を介して配置される。そして支持枠７０は、表示パネル１１０の左右方向の中央に接触可能に支持する中央桟７４Ｃを有する。この構成によれば、前後方向において中央桟７４Ｃと表示パネル１１０との間の距離が近いため、表示パネル１１０が前側に撓んだときに中央桟７４Ｃが速やかに表示パネル１１０と接触する。中央桟７４Ｃは、表示パネル１１０が接触することにより前側に撓むため、中央桟７４Ｃから表示パネル１１０に加える力を低減しつつ表示パネル１１０の撓みを制限することができる。これにより、表示パネル１１０の撓みに起因して表示パネル１１０が外装ケース１２０から外れてしまうことが抑制されるため、輸送等で発生する機械的衝撃などに対して表示パネル１１０をより効果的に保護することができる。
【００８０】
（２）表示装置１００および支持枠７０と各緩衝材１０，２０，３０，４０，５０，６０との前後方向の間には、表示装置１００および支持枠７０を挿入容易にするために隙間が形成されることは避け難い。このため、支持枠７０が例えば各緩衝材１０，２０，３０，４０，５０，６０に対して表示装置１００から離間する方向に移動するおそれがある。
【００８１】
そこで、本実施形態の表示装置１００の梱包構造では、支持枠７０が突起部７５Ａ，７５Ｂ，７５Ｃ，７５Ｄを有することにより、突起部７５Ａ，７５Ｂ，７５Ｃ，７５Ｄの先端面が梱包箱９０の内面と接触する。これにより、各緩衝材１０，２０，３０，４０，５０，６０に対して支持枠７０が表示装置１００から離間する方向に移動することが制限される。このため、表示装置１００と支持枠７０との間の隙間が過度に大きくなることが抑制される。したがって、表示装置１００と支持枠７０との間の隙間により表示パネル１１０が撓む一方、中央桟７４Ｃに接触しない状態の発生が抑制されるため、表示パネル１１０の撓みに起因して表示パネル１１０が外装ケース１２０から外れてしまうことが抑制される。
【００８２】
（３）中央桟７４Ｃの上下方向の中間部に突起部が形成されたと仮定した場合、中央桟７４Ｃの中間部の剛性が向上することにより中央桟７４Ｃが撓みにくくなる。これにより、表示パネル１１０が撓んで中央桟７４Ｃに接触したとき、中央桟７４Ｃの反力により表示パネル１１０に過大な力が加えられて、表示パネル１１０が破損するおそれがある。
【００８３】
そこで、本実施形態の表示装置１００の梱包構造では、中央桟７４Ｃの中間部に突起部７５Ａ，７５Ｂ，７５Ｃ，７５Ｄが位置しない構成のため、中央桟７４Ｃが撓みにくくなることが抑制される。したがって、中央桟７４Ｃの反力により表示パネル１１０に過大な力が加えられることが抑制される。このため、表示パネル１１０が破損することが抑制される。
【００８４】
（４）支持枠７０は、第１の支持枠７０Ａと第２の支持枠７０Ｂとに分割される。このため、支持枠７０を金型により成形する場合、第１の支持枠７０Ａと第２の支持枠７０Ｂとが一体化された支持枠を成形する場合と比較して、より小型の金型により成形することができる。
【００８５】
（５）中央桟７４Ｃの幅寸法ＷＡは、支持枠７０の他の枠体７４の幅寸法Ｗ１，Ｗ２よりも大きい。この構成によれば、支持枠７０を可撓とするために支持枠７０の板厚を薄くしても中央桟７４Ｃの強度が低下することが抑制される。したがって、表示パネル１１０が中央桟７４Ｃに接触することにより中央桟７４Ｃが破損することが抑制される。このため、中央桟７４Ｃが破損することに起因して、表示パネル１１０が中央桟７４Ｃで支持することが出来なくなることにより、表示パネル１１０が外装ケース１２０から外れてしまうことが抑制される。
【００８６】
（６）第１の支持枠７０Ａと第２の支持枠７０Ｂとは同一形状である。この構成によれば、同じ金型を用いて、第１の支持枠７０Ａと第２の支持枠７０Ｂとを成形することができる。したがって、２種類の金型を用意する必要がなくなるため、コストダウンを図ることができる。
【００８７】
また、第１の支持枠７０Ａの上下方向の向きおよび第２の支持枠７０Ｂの上下方向の向きのそれぞれを逆にしても各緩衝材１０，２０，３０，４０と第１の支持枠７０Ａおよび第２の支持枠７０Ｂを互いに組み付けることができる。このため、各緩衝材１０，２０，３０，４０と第１の支持枠７０Ａおよび第２の支持枠７０Ｂとを容易に組み付けることができる。
【００８８】
（７）第１の支持枠７０Ａの四隅および第２の支持枠７０Ｂの四隅のそれぞれには、曲面７３が形成されている。この構成によれば、第１の支持枠７０Ａが各緩衝材１０，３０，４０，６０の支持部１１，３１，４１，６１に挿入される際、第１の支持枠７０Ａの曲面７３により、第１の支持枠７０Ａの角部が各緩衝材１０，３０，４０，６０に引っ掛かりにくくなる。このため、第１の支持枠７０Ａが各緩衝材１０，３０，４０，６０の支持部１１，３１，４１，６１に挿入しやすくなる。なお、第２の支持枠７０Ｂについても同様の効果が得られる。
【００８９】
（８）下側の左端緩衝材１０、中央緩衝材３０、および、右端緩衝材２０は、左右方向に間隔を置いて配置されている。この構成によれば、例えば下側支持箱９１に収容された状態で表示装置１００が梱包箱９０から取り出されたうえで、下側支持箱９１が床面に置かれたとき、左端緩衝材１０と中央緩衝材３０との間の空間を介して表示装置１００への配線の取付作業が可能となる。また同様に右端緩衝材２０と中央緩衝材３０との間の空間を介して表示装置１００への配線の取り付け作業が可能となる。このため、作業者が表示装置１００への配線の取り付け作業を容易に行うことができる。
【００９０】
上記実施形態に関する説明は、本発明に従う表示装置の梱包構造が取り得る形態の例示であり、その形態を制限することを意図していない。本発明に従う表示装置の梱包構造は、例えば以下に示される上記実施形態の変形例、および、相互に矛盾しない少なくとも２つの変形例が組み合わせられた形態を取り得る。なお、図１２〜図２０の以下の説明において、符号が付された表示装置１００の構成要素は、図１および図２の表示装置１００の構成要素を示す。
【００９１】
・上記実施形態において、第１の支持枠７０Ａは、図１２に示すように、第１の支持枠７０Ａの上下方向の中央において左右方向に離間した枠体７４同士を左右方向に連結する横桟７４Ｄが形成されてもよい。第２の支持枠７０Ｂも同様に横桟７４Ｄが形成されてもよい。各横桟７４Ｄは、中央桟７４Ｃの上下方向の中央において中央桟７４Ｃに接続されている。
【００９２】
・上記実施形態において、第１の支持枠７０Ａおよび第２の支持枠７０Ｂに代えて、図１３に示すように、一枚の支持枠７０Ｃにより表示装置１００を支持してもよい。支持枠７０Ｃは、左右方向が長手方向となり、上下方向が短手方向となる長方形により形成される。支持枠７０Ｃの中央桟７４Ｃの幅寸法ＷＡは、支持枠７０Ｃの他の枠体７４の幅寸法Ｗ１，Ｗ２よりも大きい。
【００９３】
・図１３の変形例において、図１４に示すように、支持枠７０Ｃの上下方向の中央において左右方向に離間する枠体７４同士を左右方向に連結する横桟７４Ｅを中央桟としてもよい。また図示していないが、支持枠７０Ｃは、中央桟７４Ｃと横桟７４Ｅとの両方を備えてもよい。この場合、中央桟７４Ｃと横桟７４Ｅは、支持枠７０Ｃの左右方向の中央かつ上下方向の中央で互いに連結される。
【００９４】
・図１３の変形例において、図１５に示すように、支持枠７０Ｃの対角線に沿って形成される第１の桟７４Ｆおよび第２の桟７４Ｇを中央桟としてもよい。第１の桟７４Ｆおよび第２の桟７４Ｇは、支持枠７０Ｃの左右方向の中央かつ上下方向の中央で互いに連結される。
【００９５】
・図１５の変形例において、支持枠７０Ｃは、図１６に示すように、第１の桟７４Ｆおよび第２の桟７４Ｇの連結部分に丸形状の中央支持部７４Ｈを備えてもよい。なお、中央支持部７４Ｈの形状は、丸形状に限られず、四角形等の多角形であってもよい。
【００９６】
・上記実施形態において、図１７に示すように、第１の支持枠７０Ａおよび第２の支持枠７０Ｂを上下方向に並べてもよい。図１７の第１の支持枠７０Ａおよび第２の支持枠７０Ｂは、左右方向が長手方向となり、上下方向が短手方向となる長方形に形成される。この場合、中央桟７４Ｃは、支持枠７０の上下方向の中央において左右方向に延びている。
【００９７】
・上記実施形態において、図１８に示すように、４つの支持枠７０Ｄ，７０Ｅ，７０Ｆ，７０Ｇを組み合わせて、表示装置１００の表示パネル１１０を支持する支持枠７０を構成してもよい。
【００９８】
・上記実施形態において、図１９に示すように、第１の支持枠７０Ａから突起部７５Ａが着脱可能に取り付けられてもよい。第１の支持枠７０Ａには、突起部７５Ａが嵌め合わせられるための嵌合部７４Ｊが形成される。一例として、嵌合部７４Ｊは、第１の支持枠７０Ａを正面から見て、突起部７５Ａと相似形状となる貫通孔である。また突起部７５Ａには、嵌合部７４Ｊと嵌め合わせられる突出部７５Ｅが形成される。突起部７５Ａは、突出部７５Ｅが嵌合部７４Ｊに嵌め合わせられたとき、第１の支持枠７０Ａにおける嵌合部７４Ｊの周縁に接触する。なお、図１９では図示しないが、第１の支持枠７０Ａにおける突起部７５Ｂ，７５Ｃ，７５Ｄについても図１９の突起部７５Ａおよび嵌合部７４Ｊと同様の構成に変更することができる。また図１９では図示しないが、第２の支持枠７０Ｂについても図１９の第１の支持枠７０Ａと同様の構成に変更することができる。
【００９９】
・上記実施形態において、図２０に示すように、第１の支持枠７０Ａの四隅を、曲面７３に代えて、傾斜面７３Ａのように面取りを行ってもよい。要するに、第１の支持枠７０Ａの四隅が直角の角部が形成されないように面取りが行われていればよい。
【０１００】
・上記実施形態において、第１の支持枠７０Ａの突起部７５Ａおよび第２の支持枠７０Ｂの突起部７５Ｃと、第１の支持枠７０Ａの突起部７５Ｂおよび第２の支持枠７０Ｂの突起部７５Ｄとの一方を省略してもよい。
【０１０１】
・上記実施形態において、第１の支持枠７０Ａの突起部７５Ａ，７５Ｂ，７５Ｃ，７５Ｄの少なくとも１つを省略してもよい。また第２の支持枠７０Ｂの突起部７５Ａ，７５Ｂ，７５Ｃ，７５Ｄの少なくとも１つを省略してもよい。
【０１０２】
・上記実施形態において、上側の中央緩衝材６０の左右方向の寸法を小さくしてもよい。例えば、上側の中央緩衝材６０の左右方向の寸法を下側の中央緩衝材３０の左右方向の寸法と等しくする。この場合、アクセサリーボックス９２は、例えば、上側の左端緩衝材４０、右端緩衝材５０、および、中央緩衝材６０に分散して収容することが好ましい。
【産業上の利用可能性】
【０１０３】
本表示装置の梱包構造は、平面型の表示パネルを有する薄型の表示装置の梱包に利用できる。
【符号の説明】
【０１０４】
１０…左端緩衝材
１６…後側支持部
１７…前側支持部
２０…右端緩衝材
２６…後側支持部
２７…前側支持部
３０…中央緩衝材
３５…後側支持部
３６…前側支持部
４０…左端緩衝材
４６…後側支持部
４７…前側支持部
５０…右端緩衝材
５６…後側支持部
５７…前側支持部
６０…中央緩衝材
６５…後側支持部
６６…前側支持部
７０…支持枠
７０Ａ…第１の支持枠
７０Ｂ…第２の支持枠
７０Ｃ…支持枠
７０Ｄ，７０Ｅ，７０Ｆ，７０Ｇ…支持枠
７２Ａ…第１の面
７２Ｂ…第２の面
７３…曲面
７３Ａ…面取り
７４…枠体
７４Ｃ…中央桟
７４Ｄ…横桟（中央桟）
７４Ｅ…横桟（中央桟）
７４Ｆ…第１の桟（中央桟）
７４Ｇ…第２の桟（中央桟）
７５Ａ，７５Ｂ，７５Ｃ，７５Ｄ…突起部
９０…梱包箱
１００…表示装置
１１０…表示パネル
１２０…外装ケース
Ｗ１，Ｗ２…枠体の幅寸法
ＷＡ…中央桟の幅寸法
Ｇ…空隙
【図１】
0006579364.tif 000002
【図２】
0006579364.tif 000003
【図３】
0006579364.tif 000004
【図４】
0006579364.tif 000005
【図５】
0006579364.tif 000006
【図６】
0006579364.tif 000007
【図７】
0006579364.tif 000008
【図８】
0006579364.tif 000009
【図９】
0006579364.tif 000010
【図１０】
0006579364.tif 000011
【図１１】
0006579364.tif 000012
【図１２】
0006579364.tif 000013
【図１３】
0006579364.tif 000014
【図１４】
0006579364.tif 000015
【図１５】
0006579364.tif 000016
【図１６】
0006579364.tif 000017
【図１７】
0006579364.tif 000018
【図１８】
0006579364.tif 000019
【図１９】
0006579364.tif 000020
【図２０】
0006579364.tif 000021